(57)【要約】【課題】安価で利便性に優れ、不快感を招くのを極力回避することのできる実用価値の優れた採便シートを実現する。【解決手段】横方向の両端部が便器の左右端部に固定可能とされた水溶性を有する矩形状のシート本体２を設け、所定長Ｔの多数の切れ目７が、横方向と直交する縦方向に千鳥状に列設されると共に、シート本体２は縦方向に伸展可能とされ、かつ、切れ目７は、伸展時には六角形状又は略六角形状の網目状孔７ａを形成する。また、シート本体２は１枚のシート材が折曲された三層構造とされている。さらに、シート本体２の四方の隅部には両面接着テープが貼着されている。【選択図】図５
0003139911.tif 000002
【実用新案登録請求の範囲】
【請求項１】
横方向の両端部が便器の左右端部に固定可能とされた水溶性を有する矩形状のシート本体を設け、
所定長の多数の切れ目が、前記横方向と直交する縦方向に千鳥状に列設されると共に、前記シート本体は前記縦方向に伸展可能とされ、
かつ、前記切れ目は、伸展時には六角形状又は略六角形状の網目状孔を形成してなることを特徴とする採便シート。
【請求項２】
前記シート本体は複層構造となるように折曲されて重合されていることを特徴とする請求項１記載の採便シート。
【請求項３】
前記シート本体は、少なくとも四方の隅部が水溶性の両面接着テープを介して前記便器の左右端部に貼着されることを特徴とする請求項１又は請求項２記載の採便シート。
【請求項４】
前記両端部が前記便器の左右端部に固定され、上方から排泄物が落下したときは、前記シート本体は縦方向に伸展して下方に撓曲されると共に、前記六角形状又は略六角形状の網目状孔からは水分が排出可能とされていることを特徴とする請求項１乃至請求項３のいずれかに記載の採便シート。
【考案の詳細な説明】
【技術分野】
【０００１】
本考案は採便シートに関し、より詳しくは一般家庭や病院のトイレを使用して糞便を採取する採便シートに関する。
【背景技術】
【０００２】
従来より、大腸がん検診等の便潜血検査や集団食中毒等での検便に供される洋式水洗便器用の採便シートとしては、例えば、ナガセールという商品名で市販されているものが知られている（非特許文献１）。
【０００３】
この非特許文献１では、所定寸法に裁断された長方形形状の採便シートを便器内の水溜部に浮かせ、採便シート上に排便して該採便シート上の糞便を採取している。そしてその後、便器シャワーを操作し、採便シートを残留している糞便と共に下水道に排出している。
【０００４】
他の背景技術としては、図６に示すように、両端縁部が便器の左右縁上に重なる長さＬと中間部の糞便受け部１０１の幅が狭くとも糞便を受けるに足りる幅Ｗに形成した水解性のシート本体１０２と、剥離テープ１０３で覆われた水解性の両面接着テープ１０４とからなり、該両面接着テープ１０４を前記シート本体１０２の両端縁部の片面に貼着した採便用シートが提案されている（特許文献１）。
【０００５】
また、この特許文献１では、糞便受け部１０１の両側に伸長用切れ目１０５が設けられ、さらに糞便受け部１０１には多数の切れ目又は細孔からなる水分処理部分１０６が設けられている。また、糞便受け部１０１の片方の縁には尻避用抉り部１０７が形成されている。
【特許文献１】特開平７−２７０４０３号公報
【非特許文献１】株式会社アトレータ、「採便シート、ナガセール」［on line］、[平成１９年１２月１９日検索]、インターネット＜ＵＲＬ：http://www.atleta.co.jp/ect-naga.html＞
【考案の開示】
【考案が解決しようとする課題】
【０００６】
しかしながら、非特許文献１では、排便の直前に水溜部に採便シートを浮かさなければならず、このため便秘気味の場合等、便座に腰を掛けて直ぐに排便するのが困難な場合は、排便時には採便シートが既に溶解してしまっている場合があり、所望の採便作業を行うことができなくなるおそれがある。
【０００７】
また、この非特許文献１では、排便シートが水溜部に浮いているため、排便シートがふわふわし、糞便を採取し難いという問題点もある。
【０００８】
一方、特許文献１は、幅Ｗの方向に切れ目１０５を入れることにより、シート本体１０２が長さＬ方向に伸長させ、これによりシート本体１０２を下方に撓ませているが、シート本体１０２が長さＬ方向に伸長するため、幅Ｗが狭くなる方向に縮小することとなり、このため便器に腰掛ける位置によって、糞便がシート本体１０２からはみ出したり、シート本体１０２の端縁に引っ掛かり、ユーザに不快感を招くおそれがある。これを回避する方法としては、シート本体１０２の幅Ｗ方向の寸法を大きくすることが考えられるが、材料コストが高くなるおそれがある。
【０００９】
また、この特許文献１では、多数の切れ目や細孔からなる水分処理部分６を糞便受け部１０１に設け、該水分処理部分６から尿等の水分を排出させているが、シート本体１０２が紙材で形成されている場合は、シート本体１０２の強度が著しく低下して破損してしまうおそれがあり、糞便を排便終了時までシート本体１０２で保持するのが困難になる場合がある。また、シート本体１０２をプラスチック材で形成した場合は、強度は確保できてもコスト高を招くおそれがある。
【００１０】
さらに、この特許文献１では、シート本体１０２の中央部に多数の切れ目や細孔を形成し、糞便受け部１０１の両側に伸長用切れ目１０５を形成しており、したがって、これら水分処理部分１０６や伸長用切れ目１０５を形成するための製造工程が煩雑なものとなり、生産コストが高くなるという問題点がある。特に、特許文献１では、シート本体１０２を打ち抜き加工で形成しているため、低廉なコストで製造するのは困難である。
【００１１】
本考案はこのような事情に鑑みなされたものであって、安価で利便性に優れ、かつ不快感を招くのを極力解消した実用価値を有する採便シートを提供することを目的とする。
【課題を解決するための手段】
【００１２】
上記目的を達成するために本考案に係る採便シートは、横方向の両端部が便器の左右端部に固定可能とされた水溶性を有する矩形状のシート本体を設け、所定長さの多数のスリットが、前記横方向と直交する縦方向に千鳥状に列設されると共に、前記シート本体は前記縦方向に伸展可能とされ、かつ、前記スリットは、伸展時には六角形状又は略六角形状の網目状孔を形成してなることを特徴としている。
【００１３】
また、本考案の採便シートは、前記シート本体は複層構造となるように折曲されて重合されていることを特徴としている。
【００１４】
さらに、本考案の採便シートは、前記シート本体が、少なくとも四方の隅部が水溶性の両面接着テープを介して前記便器の左右端部に貼着可能とされていることを特徴としている。
【００１５】
また、本発明の採便シートは、前記両端部が前記便器の左右端部に固定され、上方から糞便が落下したときは、前記シート本体は縦方向に伸展して下方に撓曲されると共に、前記六角形状又は略六角形状の網目状孔からは水分が排出可能とされていることを特徴としている。
【考案の効果】
【００１６】
上記採便シートによれば、横方向の両端部が便器の左右端部に固定可能とされた水溶性を有する矩形状のシート本体を設け、所定長さの多数のスリットが、前記横方向と直交する縦方向に千鳥状に列設されると共に、前記シート本体は前記縦方向に伸展可能とされ、かつ、前記スリットは、伸展時には六角形状又は略六角形状の網目状孔を形成してなるので、シート本体を便器に固定して排泄行為を行うと、シート本体は縦方向に伸長してシート本体に糞便を確実に保持することができ、採便作業を容易に行うことができる。また、尿等の水分は六角形状又は略六角形状の網目状孔を通過するので、採便シートに尿が溜まることもなく、これにより利便性の優れ、ユーザへの不快感を極力解消した実用価値を有する採便シートを実現することができる。
【００１７】
また、シート本体には、伸展時には六角形状又は略六角形状の網目状孔となる切れ目のみを形成するようにしているので、製造工程も簡素で済み、低コストで量産性にも優れた採便シートを得ることができる。
【００１８】
また、前記シート本体は複層構造となるように折曲されて重合されているので、１枚のシート材から複層構造の採便シートを製造することが可能となり、低コストで高強度の採便シートを実現することができる。
【００１９】
さらに、前記シート本体が、少なくとも四方の隅部が水溶性の両面接着テープを介して前記便器の左右端部に貼着可能とされているので、シート本体を便器に容易に固定することができ、採便時の作業も円滑に行うことができる。
【考案を実施するための最良の形態】
【００２０】
次に、本考案の実施の形態を図面に基づいて詳説する。
【００２１】
図１は本考案に係る採便シートの一実施の形態を示す平面図である。
【００２２】
すなわち、本採便シート１は、矩形状のシート本体２を有し、縦方向に伸展可能とされている。
【００２３】
シート本体２は、便器の水溜部から下水道に容易に排出可能となるように、水溶性の紙材で形成されている。紙材は、相当量の糞便が落下しても保持できるような重量のものであれば、特に限定されるものではないが、４０〜５０ｇ／ｍ２の重量のものを好んで使用することができる。
【００２４】
シート本体２は、具体的には、横方向の両端部が便器の左右端部に固定可能となるように、所定の横寸法Ｘ及び所定の縦寸法Ｙに裁断されている。そして、シート本体２は、横方向の両端部には左右一対の切れ目非形成部３ａ、３ｂが所定幅寸法（例えば、１０ｍｍ）で設けられると共に、切れ目形成部４が、切れ目非形成部３ａと切れ目非形成部３ｂとの間に設けられている。また、シート本体２は、横方向が三等分又は略三等分となるように第１及び第２の折曲線５、６が形成されている。
【００２５】
図２は、図１のＡ部拡大図である。
【００２６】
切れ目形成部４は、縦方向に伸展したときは六角形状又は略六角形状の網目状孔を形成するように、多数の切れ目７が所定長Ｔでもって前記横方向と直交する縦方向に千鳥状に列設されている。
【００２７】
このシート本体２は、第１の折曲線５で折曲された後、第２の折曲線６で折曲され、これにより図３に示すように三層に折曲され、四方の隅部に両面接着テープ８ａ〜８ｄが貼着されている。
【００２８】
このように本実施の形態では、多数の切れ目７を形成した１枚のシート材が三層構造となるように折曲して採便シート１を形成しているので、例えば、特許文献１のように、打ち抜き加工のような煩雑な工程は不要であり、採便シート１を安価に得ることができる。
【００２９】
図４は、採便シート１の使用状態を示す図である。
【００３０】
すなわち、便器蓋９及び便座１０を上げ、採便シート１に貼着された両面接着テープ８ａ〜８ｄの剥離紙を剥がし、両面接着テープ８ａ〜８ｄを便器１１の左右端部に固着させる。そして、便座１０を下ろして排泄行為を行うと、シート本体２は下方に撓曲されると共に、糞便１２は採便シート１に保持される。
【００３１】
このとき切れ目７は、図５に示すように、横方向に引っ張られつつ縦方向に伸展し、これにより六角形状又は略六角形状の網目状孔７ａを形成する。そして、上述したように糞便１２はシート本体２に保持される一方で、尿等の水分は網目状孔７ａを通過し、便器１１の水溜部に落下する。採便作業が終了すると、採便シート１を便器１１から取り除いて水溜部に投げ入れ、便器シャワーを操作して採便シート１を下水道に流す。そして、採便シート１は水溶性であることから溶解し、下水道に排出される。
【００３２】
このように本実施の形態によれば、横方向の両端部が便器１１の左右端部に固定された水溶性を有する矩形状のシート本体２を設け、所定長Ｔの多数の切れ目７が、前記横方向と直交する縦方向に千鳥状に列設されると共に、前記シート本体２は前記縦方向に伸展可能とされ、かつ、前記切れ目７は、伸展時には六角形状又は略六角形状の網目状孔７ａを形成してなるので、シート本体２を便器１１に固定して排泄行為を行うと、シート本体２は縦方向に伸長してシート本体２に糞便１２を確実に保持することができ、これにより採便作業を容易に行うことができる。また、尿等の水分は六角形状又は略六角形状の網目状孔７ａを通過するので、採便シート１上に尿が溜まることもなく、利便性に優れた不快感を極力解消することのできる実用価値のある採便シート１を実現することができる。
【００３３】
また、シート本体２には、伸展時には六角形状又は略六角形状の網目状孔７ａとなる切れ目７のみを形成するようにしているので、製造工程も簡素で済み、低コストで量産性の優れた採便シート１を得ることができる。
【００３４】
また、前記シート本体２が、三層構造となるように折曲されて重合されているので、低コストで高強度の採便シート１を実現でき、糞便１２の重みでシート本体２が破損するのを防止することができる。
【００３５】
さらに、前記シート本体２が、四方の隅部に設けた両面テープ８ａ〜８ｄを介して便器１１の左右端部に貼着されているので、シート本体２を便器１１に容易に固定することができ、採便時の作業も円滑に行うことができる。
【００３６】
尚、本考案は上記実施の形態に限定されるものではない。上記実施の形態では、採便シートは三層構造としているが、硬便、普通便、軟便等、糞便の種類に応じて区分けし、単層構造や二層構造等の様々な種類の層状構造としてもよい。
【図面の簡単な説明】
【００３７】
【図１】本発明に係る採便シートの一実施の形態を示す平面図である。
【図２】図１のＡ部拡大図である。
【図３】図１の採便シートを三層に折り曲げた状態を示す図である。
【図４】伸展時のＡ部拡大図である。
【図５】採便シートの使用状態を示す図である。
【図６】特許文献１の要部平面図である。
【符号の説明】
【００３８】
２    シート本体
７    切れ目
７ａ  網目状孔
８ａ〜８ｂ  両面接着テープ
１１  便器
１２  糞便
【図１】
0003139911.tif 000003
【図２】
0003139911.tif 000004
【図３】
0003139911.tif 000005
【図４】
0003139911.tif 000006
【図５】
0003139911.tif 000007
【図６】
0003139911.tif 000008